(57)【要約】【課題】  ジョイントを行う際の端子構造をきわめて簡単にして、部品点数の減少化とコストダウンを図り、かつ端子金具間の電気的導通性も確実に図ることのできるジョイントコネクタ用端子金具を提供することを目的とする。【解決手段】  複数本の電線２０を一つに束ねるとともに、一つに束ねた各電線２０の電気的導通性を確保するジョイントコネクタ用の端子金具１０において、  １本の電線２０を圧着する保持部１の先端に、  前記保持部１に直交する平板部４と、前記平板部４の一方の先端に形成したオス端子５と、前記平板部４の他方の先端に形成したメス端子６とからなる連結部３を設け、  並列配置した複数の端子金具１０を連結するにあたって、隣り合う端子金具同士のオス端子５とメス端子６とを端子接続することによって端子金具間の電気的導通性を確保した。【選択図】        図２
2006108052.tif 000002
【特許請求の範囲】
【請求項１】
複数本の電線（２０）を一つに束ねるとともに、一つに束ねた各電線（２０）の電気的導通性を確保するジョイントコネクタ用の端子金具（１０）において、
１本の電線（２０）を圧着する保持部（１）の先端に、
前記保持部（１）に直交する平板部（４）と、前記平板部（４）の一方の先端に形成したオス端子（５）と、前記平板部（４）の他方の先端に形成したメス端子（６）とからなる連結部（３）を設け、
並列配置した複数の端子金具（１０）を連結するにあたって、隣り合う端子金具同士のオス端子（５）とメス端子（６）とを端子接続することによって端子金具間の電気的導通性を確保したことを特徴とするジョイントコネクタ用端子金具。
【請求項２】
平板状のオス端子（５）と、平板状のオス端子を挟持するメス端子（６）とを備える連結部（３）を設けたことを特徴とする請求項１に記載のジョイントコネクタ用端子金具。
【発明の詳細な説明】
【技術分野】
【０００１】
本発明は、自動車等に搭載されるワイヤーハーネスのジョイントコネクタ用の端子金具に関する。
【背景技術】
【０００２】
従来のジョイントコネクタとしては、ハウジングに開閉可能なカバーを取り付け、ハウジング内には複数の端子金具を収容し、カバーにジョイント端子（バスバー）をアッセンブリし、バスバーと端子金具とを嵌合させて電気的導通を図るものが知られていた。カバーはジョイント端子（バスバー）の後面の露出部分をおおい隠すようになっており、このカバーの内面にはジョイント端子（バスバー）を抜け止め状態で取り付け可能な複数の抜け止め爪を形成し、これらの爪によってジョイント端子（バスバー）をカバーに一体化させ、メンテナンス作業を容易にしたものが知られている。このとき用いられるジョイント端子（バスバー）は、導電金属板により形成され、当該ジョイント端子（バスバー）を各端子金具に挿入することによって、各端子金具の電気的導通性を確保していた(特許文献１参照)。
【特許文献１】特開２００２−３５２９２６号公報（第２，３頁、図１）
【発明の開示】
【発明が解決しようとする課題】
【０００３】
特許文献１に開示されたものは、バスバーの構造が複雑であり、また端子金具の先端部もこのバスバーを挿入するための受け入れ口を有し、この受け入れ口の内面とバスバーの接触も確実にできるように工夫しておく必要があった。そのために、バスバーと端子金具の構造の簡素化が図りにくく、コストダウンにも限界があった。
また上記ジョイントコネクタは、大きく分けて、複数の端子金具と、ジョイント端子（バスバー）と、ハウジングといった部品から構成されているが、組み付け性や部品管理の点、及びコストの点から見ると、部品点数を少しでも減少させることが望ましい。
【０００４】
そこで、本発明は、ジョイントを行う際の端子構造をきわめて簡単にして、部品点数の減少化とコストダウンを図り、かつ端子金具間の電気的導通性も確実に図ることのできるジョイントコネクタ用端子金具を提供することを目的とする。
【課題を解決するための手段】
【０００５】
上述の目的を達成するため、本発明は、複数本の電線を一つに束ねるとともに、一つに束ねた各電線の電気的導通性を確保するジョイントコネクタ用の端子金具において、１本の電線を圧着する保持部の先端に、前記保持部に直交する平板部と、前記平板部の一方の先端に形成したオス端子と、前記平板部の他方の先端に形成したメス端子とからなる連結部を設け、並列配置した複数の端子金具を連結するにあたって、隣り合う端子金具同士のオス端子とメス端子とを端子接続することによって端子金具間の電気的導通を確保したものである。
【発明の効果】
【０００６】
本発明によるジョイントコネクタ用端子金具は、端子金具の先端にオス端子とメス端子を備える連結部を設け、隣り合う端子金具同士のオス端子とメス端子とを端子接続することによって互いの端子金具を連結するとともに端子金具間の電気的導通性を確保するため、バスバーを用いることなく電気的導通性を確保することができ、構成部品の減少化を図り、性能低下を伴うことなく安価にジョイントを行うことができる。
【発明を実施するための最良の形態】
【０００７】
本発明の実施例によるジョイントコネクタ用端子金具について図１乃至図４を参照して説明する。
【０００８】
この発明の第１実施例によるジョイントコネクタ用端子金具について、図１及び図２を参照して説明する。
この実施例では、複数本の電線２０を一つに束ねるとともに、一つに束ねた各電線２０の電気的導通性を確保するジョイントコネクタ用の端子金具１０において、１本の電線２０を圧着する端子金具１０の保持部１の先端に、前記保持部１に直交する平板部４と、前記平板部４の一方の先端に形成したオス端子５と、前記平板部４の他方の先端に形成したメス端子６とからなる連結部３を設けた。
【０００９】
なお端子金具１０の保持部１には、電線２０のワイヤー部分を圧着するワイヤーバレル２ａと、電線２０の絶縁体被覆部分を圧着するインシュレーションバレル２ｂとが形成されている。そして前記ワイヤーバレル２ａとインシュレーションバレル２ｂとで保持部１にセットされた電線２０を加締めることによって、保持部１に電線２０を圧着する。
【００１０】
また図１に示すように、端子金具１０の先端には、導電材料からなる連結部３が設けられている。
連結部３は薄板状の平板部４を有し、前記平板部４の中央に保持部１の先端が直交するようにして配置される。つまり、保持部１の先端から左右に向かって延びるようにして薄板状の平板部４が形成されている。
なおこの実施例では、平板部４の中央に一つの係合孔７を形成してある。
【００１１】
平板部４の一方の先端には、平板部４から延びる平板状のオス端子５が形成されている。
また平板部４の他方の先端には、平板部先端の左右両端を半円状に折り曲げた折曲部６１ａ，６１ｂからなるメス端子６が形成されている。
メス端子６は、平板部先端の左右両端を半円状に折り曲げて形成した折曲部６１ａ，６１ｂがバネとなって、平板部４と折曲部６１ａ，６１ｂとの間隔に挿入された平板状のオス端子５を平板部４の表面に押し付け、平板状のオス端子５を挟持（保持）する構造となっている。
【００１２】
そして図２に示すように、並列配置された複数の端子金具１０を連結し、各端子金具間の電気的導通性を確保するにあたって、端子金具１０の先端に設けた連結部３のメス端子６に、隣の端子金具１０の先端に設けた連結部３のオス端子５を挿入して、隣り合う端子金具１０同士を連結する。
つまり隣り合う端子金具１０の互いのオス端子５とメス端子６とを端子接続することによって、並列配置された複数の端子金具１０の連結を図り、各端子金具間の電気的導通性を確保する。
【００１３】
なお、端子金具１０の先端に設けた連結部３では、オス端子５及びメス端子６が保持部１に対して直交するようにして配置されているため、保持部１に圧着している電線２０が引っ張られて、端子金具１０に機械的負荷がかかっても、前記機械的負荷の力の方向と、接続しているオス端子５とメス端子６を離脱させるための力の方向とが異なり、電線２０が引っ張られても端子金具同士が離脱する虞がなく、電気的導通性の信頼度が高い。
【００１４】
さらに、この実施例では、連結した複数の端子金具１０を樹脂材料で成形したハウジング３０の中に収納することによって、端子金具１０と他の部材の絶縁性を確保するとともに、外傷からの保護を図った。
【００１５】
図３に、この発明の実施例によるハウジング３０を示す。
この実施例によるハウジング３０は、ヒンジ３３を介して筐体下部３１とキャップ部３２とが一体化されている（図３（ａ）を参照）。
そして、連結した複数の端子金具１０を前記筐体下部３１内に載置した後、キャップ部３２で蓋をし、止め具３６で前記筐体部３１とキャップ部３２とを固定することによって、ハウジング３０内に端子金具１０を収納した（図３（ｂ）を参照）。
なお、各端子金具１０に接続された電線２０が挿通する孔をハウジング３０に形成するため、筐体下部３１とキャップ部３２にそれぞれ切り欠き３４を設けた。
また、ハウジング３０の内部に固定用突起部材３５を形成し、端子金具１０に形成されている係合孔７に前記固定用突起部材３５を嵌め込むことによって、ハウジング内に収納される端子金具１０の配置位置を固定した。なおハウジング３０には前記係合孔７に対応させて少なくとも２つの固定用突起部材３５を形成する。
【００１６】
なお筐体下部とキャップ部とが別個に成形されたハウジング（２部品からなるハウジング）の中に、複数本の電線２０を接続したジョイントコネクタ用端子金具１０を収納してもよい。
また電線２０を接続した端子金具１０の絶縁を図るにあたって、樹脂材料で成形したハウジングを使用せずに、ビニールテープを巻き付けたり、樹脂をモールドしたりすることによって、より安価にジョイントコネクタ１０の絶縁を図ることができる。
【００１７】
次に、この発明の第２実施例によるジョイントコネクタ用端子金具について図４を参照して説明する。
【００１８】
この実施例では、１本の電線２０を圧着する端子金具１０´の保持部１の先端に、前記保持部１に直交する平板部４と、前記平板部４の一方の先端に形成したオス端子５と、前記平板部４の他方の先端に形成したメス端子６´とからなる連結部３を設けるにあたって、筐部６２とバネ片６３とからなるメス端子６´を形成した。
【００１９】
この実施例によるメス端子６´は、平板部４の他方先端を折り曲げて形成した筐部６２とその内部に形成したバネ片６３とから形成され、前記バネ片６３によって、筐部６２内に挿入された平板状のオス端子５を平板部４の表面に押し付け、平板状のオス端子５を挟持（保持）する構造となっている。
【００２０】
そして第１実施例と同様に、並列配置された複数の端子金具１０´を連結し、各端子金具間の電気的導通性を確保するにあたって、端子金具１０´の先端に設けた連結部３のメス端子６´に、隣の端子金具１０´の連結部３のオス端子５を挿入して、隣り合う端子金具１０´同士を連結する。
これによって、並列配置された複数の端子金具１０´の連結を図り、各端子金具間の電気的導通性を確保することができる。
【図面の簡単な説明】
【００２１】
【図１】この発明の第１実施例によるジョイントコネクタ用端子金具を示す図である。
【図２】複数の端子金具を連結した状態を説明する図である。
【図３】端子金具を収納するハウジングを示す図である。
【図４】この発明の第２実施例によるジョイントコネクタ用端子金具を示す図である。
【符号の説明】
【００２２】
１    保持部
２ａ  ワイヤーバレル
２ｂ  インシュレーションバレル
３    連結部
４    平板部
５    オス端子
６    メス端子
６１ａ，６１ｂ  折曲部
６２  筐部
６３  バネ片
７    係合孔
１０  端子金具
２０  電線
３０  ハウジング
３１  筐体下部
３２  キャップ部
３３  ヒンジ
３４  切り欠き
３５  固定用突起部材
３６  止め具
【図１】
2006108052.tif 000003
【図２】
2006108052.tif 000004
【図３】
2006108052.tif 000005
【図４】
2006108052.tif 000006